【事件の表示】
　特願２０１１−２１３２０５「無線デバイス中の電力リソースを最適化するための方法およびシステム」拒絶査定不服審判事件〔平成２３年１２月２２日出願公開、特開２０１１−２５９５１０〕について、次のとおり審決する。
【結　論】
　本件審判の請求は、成り立たない。
【理　由】
１．手続の経緯
　本願は、
平成１５年４月２９日（パリ条約による優先権主張　２００２年５月１日
（ＵＳ）アメリカ合衆国、２００２年１２月３０日（ＵＳ）アメリカ合衆
国）を国際出願日とする特願２００４−５０２５２０号、
該特願２００４−５０２５２０号の一部を、平成１７年９月２７日に新たな特許出願とした特願２００５−２８０５２８号、
該特願２００５−２８０５２８号の一部を、平成２１年８月２８日に新たな特許出願とした特願２００９−１９８４５６号、
該特願２００９−１９８４５６号の一部を、平成２３年９月２８日に新たに特許出願したものであって、平成２５年３月１３日付けで拒絶査定がなさ
れ、同年７月１９日に拒絶査定に対する審判請求がなされたものである。
　
２．本願発明
　本願の請求項１に係る発明（以下、「本願発明」という。）は、平成２４年１０月３１日付けの手続補正書の特許請求の範囲の請求項１に記載された事項により特定される、以下のとおりのものである。
　
「無線デバイスで使用するための方法であって、
　前記無線デバイスが、無線インターフェースを介して、メッセージリストを受信するステップであって、
　　前記メッセージリストは、複数のメッセージポインタを含み、
　　前記複数のメッセージポインタからの各メッセージポインタは、それぞれ異なるメッセージを示す、
　ステップと、
　前記無線デバイスが、前記無線デバイスに対応する、複数のメッセージポインタからのメッセージポインタを検出するステップと、
　前記無線デバイスが、無線インターフェースを介して、前記検出された
メッセージポインタに示されたデータを受信するステップと
　を含むことを特徴とする方法。」
　
３．引用例
　原査定の拒絶の理由に引用された特開平５−１９９１５０号公報（以下、引用例という。）には、図面とともに以下の記載がなされている。
　
（１）「(57)【要約】
【目的】  新規な情報の伝送システムおよび方法を提供せんとするものである。
【構成】  １次ステーションと、多数の２次ステーションとを具え、制御タイムスロットで時間的に点在するトラフィックタイム周期中１次ステーションから情報を伝送し得るようにする。制御タイムスロットは、順次のトラ
フィック情報が意図する２次ステーションに関するアドレスを各々が含む多数の識別表示ＣＭＤ１〜ＣＭＤ４を有する制御データＣＤを具える。識別表示は多数の種々の異なる手段、例えばＥ１で構成することができ、これをアドレスＡと、トラフィック位置識別子ＸＮで構成する。また、この識別表示は例えばＥ２およびチャネル識別子ＣＨを含めることができる。制御スロットの情報は、充分な時間周期に亘り電力低下せしめる２次ステーションによりこの２次ステーションを識別するアドレスが制御データに含まれる場合には順次の情報の繰返しを行うようにする。」
　
（２）「【特許請求の範囲】
【請求項１】  少なくとも１つの１次ステーションおよび複数の２次ステーションを具え、１次ステーションはトラフィックタイム周期中パケットにトラフィック情報を伝送する手段と、トラフィック情報周期間に配置された制御タイムスロット中制御情報を伝送する手段とを具え、２次ステーションは１次ステーションにより伝送された情報を受信する手段を具えるようにした情報伝送システムにおいて、制御情報を伝送する手段は、順次のトラフィック情報を意図する各２次ステーションを識別する表示を伝送するように配列し、少なくとも１つの２次ステーションは制御スロット中受信手段を附勢する手段とこの２次ステーションを識別する表示の受信に応答して次のトラ
フィックタイム周期の少なくとも１部分中受信手段を附勢する手段を有することを特徴とする情報伝送システム。
【請求項２】  トラフィック情報伝送手段はトラフィックタイム周期内の等しい長さの複数のトラフィックタイムスロット中パケットの情報を伝送するように配列したことを特徴とする請求項１に記載の情報伝送システム。
……
【請求項４】  制御情報伝送手段はトラフィック情報を順次開始する位置表示を追加的に伝送するようにしたことを特徴とする請求項１または２に記載の情報伝送システム。」
　
（３）「【０００１】
【産業上の利用分野】本発明は情報伝送システム、特に１次ステーションおよび多数の２次ステーションを具える多重ユーザラジオシステムに関するものである。
【０００２】また、本発明はかかるシステムととともに用いる１次ステー
ションおよび２次ステーション、および多重ユーザシステムに情報を伝送する方法に関するものである。
【０００３】
【従来の技術】１次ステーションおよび多数の２次ステーションを具える情報伝送システム、例えば、ラジオシステムは１次ステーションと、システムが作動する全ての時間に対する全ての２次ステーションとの間で情報の搬送を必要としない場合がしばしばある。個別の２次ステーションは時間の僅かな部分に対し情報を送出または受信するのみである。
【０００４】
【発明が解決しようとする課題】かかる状態では、２次ステーションが１次ステーションの伝送に払う注意の量を減少して例えば携帯用ラジオ受信機が電力消費を低減し、従って、バッテリの寿命を延ばすようにする必要があることは普通である。
【０００５】本発明の目的は新規な情報の伝送システムおよび方法を提供せんとするにある。」
　
（４）「【００１３】
【実施例】図１は１次ステーション１０および４つの２次ステーション１
２，１４，１６，１８を具えるラジオシステムを示す。１次ステーション１０によって伝送されたラジオ信号は多数の経路２０を経て２次ステーションに伝搬される。２次ステーションから１次ステーションへの情報伝送の復路は一般に存在するが簡潔のため図面には示さない。１次ステーションによって、システム制御信号が情報またはトラフィック信号により変更されるような秩序を保って情報を伝送する。
【００１４】図２はチャネル構造の１例を示す。１つのマルチフレームＭＦは図の頂部に示すように１６個のフレームＦを具える。その下側には個別のフレームＦのレイアウトを示す。本例ではこの個別のフレームＦは２６４０ビットを具えるとともに、２４０ビットの最小制御チャネル（ＭＣＣＨ）スロットと各々が６００ビットの４つの情報チャネル（ＸＣＣＨ）の群とに分割する。ＭＣＣＨスロットＭは１２０ビットのオーバーヘッドＯＨと、１２０ビットの制御データＣＤとを具える。ＸＣＣＨスロットはそれぞれ音声
チャネル、データチャネルまたは１つ以上の拡張制御チャネルとして用いることができる。各ＸＣＣＨスロットＸは１２０ビットのオーバーヘッドＯＨと、２４ビットのスロウに関連する制御チャネルスロットＳＡＣＨと、４５６ビットのトラフィックデータＴＤとを具える。ＸＣＣＨスロットのオー
バーヘッドは８ビットガードスロットＧと、４０ビットのランプスロットＲと、７２ビット同期化スロットＳＹとを具える。ランプスロットＲは、２次ステーションによりラジオリンク（またはアップリンク）で１次ステーションに通信を行う際に送信機パワーを確立させるために用いる。この目的のために１次ステーションはランプスロットを必要としないため、現在受信中のみである１次ステーションおよびその２次ステーション間のラジオリンク
（またはダウンリンク）はランプスロットにシステム情報を含むようにすることができる。図示の例では、ＭＣＣＨスロットに組込み得る場合よりも多くの制御信号が必要な場合にＸＣＣＨスロットは２つの拡張制御チャネルを具えることができる。
【００１５】図２に示すチャネル構造ではトラフィックタイム周期を４つの等しい長さのスロットに分割したが、多数の変更配置が可能であることは勿論である。特定のスロットを規定する必要はなく、スロット長さは１人以上のユーザに伝送すべき情報の量によって決めることができる。或は又、群当たり１つのオーバーヘッドとともに群別化し得る短いスロットを用いることもできる。かかる配置によってデータパケットの大きさに著しい可撓性を与え、しかも特定のデータの位置を識別することもできる。
【００１６】図３は制御データスロットＣＤの構造を示し、このデータス
ロットは図２のチャネル構造におけるＭＣＣＨスロットＭの半部を具える。制御データスロットは１２０ビットの長さであり、次のように細分割され
る。最初の８ビットＯＰは制御スロットに含まれるメッセージの機能を規定する演算符号である。本例では、この演算符号は制御スロットがシステムの２次ステーションの１つ以上のアドレスを含むことを識別する。或は又、この演算符号は（例えば登録要求に応答して）承認信号を識別し、２次ステーションに情報等を送出することができる。次の１８ビットは識別表示ＣＭＤ１を具え、これは、順次の情報がそのために決められたことを示す第１の２次ステーションのアドレスを含み、これら１８個のビームは“ウエイク−
アップ”命令と称される。続く５４個のビットも各々が１８ビットより成る３つの他のウエイク−アップ命令ＣＭＤ２，ＣＭＤ３およびＣＭＤ４を具
え、これら命令の各々は関連する２次ステーションを識別するアドレスを含む。
【００１７】制御データスロットの最後の４０ビットは既知のようにエラー検出および便利な補正を行うチャネル符号化部ＣＣを含んでいる。このチャネル符号化部は図示の端部に共に位置するよりも制御スロット全体を通じて分布させることができる。
【００１８】識別表示ＣＭＤ１・・・ＣＭＤ４は多数の種々の方法で構成することができる。例えば、図３にＥ１で示すように識別表示ＣＭＤ３は次の情報を決める２次ステーションを識別する１６ビットアドレスを具え、これに２ビットスロット番号ＸＮが後続する。このスロット番号によって次の４つのＸＣＣＨスロット（図２）にいずれがアドレスにより識別された特定の２次ステーションに意図される情報を含んでいるかを識別する。特定の２次ステーションに対する情報は次のＭＣＣＨスロットを越える場合でも次のスロットに拡張することができる。特定の２次ステーションに対する情報はフレームＦ当たり１つのＸＣＣＨスロット中、例えば、多数の順次のフレームにおける同一のＸＣＣＨスロット中伝送することができる。かかる技術は、デジタル化された音声信号が同一の順次のフレーム中他のＸＣＣＨスロットの同一のチャネルで伝送される場合にも特に適用させることができる。ＸＣＣＨスロット（図２）のオーバーヘッドＯＨを用いてこの２次ステーションに向けられた情報を含む次のＸＣＣＨスロットを見いだすべき特定の２次ステーションに対する識別を行うことができる。変更例として、伝送終了（ＥＯＴ）信号を受けるまで２次ステーションは受信を行うことができる。」
　
（５）「【００２５】図５は本発明第２ステーションの受信装置の構成を示すブロック図である。……
【００２７】かようにして、２次ステーションは“リスニング”モードの際のみ、短い時間周期に亘りその受信機を作動状態とすることができる。２次ステーションに向けられた情報が１次ステーションにより伝送される場合には識別表示信号およびＩＤ４６によってアドバンス警報を受け、且つＨＬＤ５０によって受信機４４を作動させ、次のＸＣＣＨトラフィックスロット中情報を受信し得るようにする。この受信機は情報のすべてが受信された場
合、または受信した信号が伝送中に符号化し得なくなる際タイムアウトすることによって電源を遮断する。ＣＮＴ６０とは別に、受信機を作動させる場合回路の残部は作動させる必要があり、これはバッテリの電力をさらに保護することができる。正しく作動させるために、ＣＮＴ６０およびＣＮＴ３８（図４）は（信号の伝搬遅延を行うために）同期化する必要があり、これを既知のように多数の同期化技術により達成することができる。
【００２８】さらに、ＩＤ４６は、スイッチ５８の作動を遅延するとともに関連する情報が存在する特定のＸＣＣＨスロットを受信する必要があるまでＲｘ４４の電力増大を遅延する手段を設けることができる。この情報は制御スロットにおける命令信号アドレスの位置によって、または図３につき前述したように明快な記法によって得ることができる。表示信号のトラフィックスロット識別子ＸＮ（図３）は次のＭＣＣＨスロット後に発生するトラ
フィックスロットを識別することができる。混雑時間では例えば２次ステーションはこれらに向けられた伝送によって良好に警報することができ、従って次の制御スロットのスペースを他のメッセージに対し保持することができる。また、メッセージを多数の２次ステーションに同時に送出する必要がある場合にも多くの２次ステーションを群として配列する必要はなく、また１つのＭＣＣＨスロットで可能となる場合よりも多くの２次ステーションの群を注意する必要があり、従って特定のスロットを用いることができる。
【００２９】図５に示す構造の変形例として、ＥＯＴ４８は省略することができ、且つＨＬＤ５０はあらかじめ配列した幅に対し受信機の作動を保持するタイミング装置を設けることができる。このタイミング装置は単に次のＭＣＣＨスロットまでＲｘ４４の作動を保持することができるが、情報メッ
セージが次のＭＣＣＨスロットを越えて継続する場合には他の識別表示に
よって２次ステーションへのアドレス指定を行う必要がある。」
　
　したがって、引用例には次の発明（以下、「引用発明」という。）が記載されているといえる。
　
　１次ステーションと、多数の２次ステーションとを具えたラジオシステムにおいて、２次ステーションが１次ステーションにより伝送されたメッセージ情報を、それぞれ音声チャネル、データチャネルまたは１つ以上の拡張制御チャネルとして用いることができる複数の情報チャネル（ＸＣＣＨ）であるＸＣＣＨスロットにより、受信する方法であって、
　２次ステーションは、多数の識別表示（ＣＭＤ１〜ＣＭＤ４）を有する制御データ（制御データスロットＣＤ）を受信し、
　この識別表示は、関連する２次ステーションを識別するアドレス（Ａ）
と、それに後続するトラフィック位置識別子（スロット番号ＸＮ）で構成され、
　このスロット番号ＸＮによって、次の複数のＸＣＣＨスロットのいずれがアドレスにより識別された特定の２次ステーションに意図される情報を含んでいるかを識別し、
　次のＸＣＣＨトラフィックスロット中情報を受信し得るようにする
　方法。
　
３．対比
　引用発明の「２次ステーション」は「ラジオシステム」のものであるか
ら、本願発明の「無線デバイス」に対応する。
　引用発明の「制御データ（制御データスロットＣＤ）」は、それが有する「多数の識別表示（ＣＭＤ１〜ＣＭＤ４）」を構成する「トラフィック位置識別子（スロット番号ＸＮ）」により、「２次ステーションが１次ステー
ションにより伝送されたメッセージ情報を、それぞれ音声チャネル、データチャネルまたは１つ以上の拡張制御チャネルとして用いることができる複数の情報チャネル（ＸＣＣＨ）であるＸＣＣＨスロットにより、受信する」とするのであるから、メッセージ情報を受信するためのものであり、「多数の識別表示（ＣＭＤ１〜ＣＭＤ４）を有する」とするものでリストといえるものであるから、本願発明の「メッセージリスト」に対応するといえる。
　引用発明の「トラフィック位置識別子（スロット番号ＸＮ）」は、それにより「このスロット番号ＸＮによって、次の複数のＸＣＣＨスロットのいずれがアドレスにより識別された特定の２次ステーションに意図される情報を含んでいるかを識別し」とできる位置識別子であり、識別された「ＸＣＣＨスロット」に、「特定の２次ステーションに意図される情報」である「メッセージ情報」が含まれているので、本願発明の「メッセージポインタ」に対応するといえる。
　また、本願発明の「メッセージリスト」に対応する引用発明の「制御データ（制御データスロットＣＤ）」は、「多数の識別表示（ＣＭＤ１〜ＣＭＤ４）を有する」とするものであり、その「識別表示」は、「関連する２次ステーションを識別するアドレス（Ａ）と、それに後続するトラフィック位置識別子（スロット番号ＸＮ）で構成され」とするものであるから、複数の
「トラフィック位置識別子（スロット番号ＸＮ）」を含むもので、本願発明が「前記メッセージリストは、複数のメッセージポインタを含む」とすることに対応する。
　したがって、本願発明と引用発明とを対比すると、次の点で一致する。
　
　無線デバイスで使用するための方法であって、
　前記無線デバイスが、無線インターフェースを介して、メッセージリストを受信するステップであって、
　　前記メッセージリストは、複数のメッセージポインタを含む、
　ステップと、
　前記無線デバイスが、前記無線デバイスに対応する、複数のメッセージポインタからのメッセージポインタを検出するステップと、
　前記無線デバイスが、無線インターフェースを介して、前記検出された
メッセージポインタに示されたデータを受信するステップと
　を含むことを特徴とする方法。
　
　また次の点で相違する。
　
　相違点
　本願発明は「前記複数のメッセージポインタからの各メッセージポインタは、それぞれ異なるメッセージを示す」とするのに対して、引用発明では、「トラフィック位置識別子（スロット番号ＸＮ）」で識別されるメッセージ情報を伝送するための「それぞれ音声チャネル、データチャネルまたは１つ以上の拡張制御チャネルとして用いることができる複数の情報チャネル（ＸＣＣＨ）であるＸＣＣＨスロット」が異なるメッセージ情報であるかどうかについては特定がない点。
　
４．相違点に対する判断
　複数の「２次ステーション」に同じメッセージを伝送すること、すなわち同報メッセージを伝送することがあるとしても、各「２次ステーション」ごとに異なったメッセージを伝送することは普通のことである。
　そのため、引用発明において、本願発明の「メッセージポインタ」に対応する「トラフィック位置識別子（スロット番号ＸＮ）」について、「多数の識別表示（ＣＭＤ１〜ＣＭＤ４）」を構成する複数の「トラフィック位置識別子（スロット番号ＸＮ）」のうちの、各「トラフィック位置識別子（ス
ロット番号ＸＮ）」が、それぞれ異なる「ＸＣＣＨスロット」を識別することで、本願発明が「前記複数のメッセージポインタからの各メッセージポインタは、それぞれ異なるメッセージを示す」と同様にすることに困難な点はない。
　したがって、本願発明は、引用発明に基づいて、当業者が容易に発明をすることができたものである。
　
５．むすび
　以上のとおり、本願発明は、引用発明に基づいて、当業者が容易に発明をすることができたものであるから、特許法第２９条第２項の規定により特許を受けることができない。
　よって、結論のとおり審決する。